(57)【要約】  針（７）、及び、少なくとも、針（７）の一部に連結された組成物の層（９）を含む薬剤送達デバイス（１）が記述されている。組成物は、低い粘度及び低い表面張力を有する。
2014528301.tif 000002
【特許請求の範囲】
【請求項１】
薬剤送達デバイス（１）であって：
針（７）；及び
針（７）の少なくとも、一部に連結された組成物の層（９）、ここで、組成物が低い粘度及び低い表面張力を有する、
を含んでなる、上記薬剤送達デバイス。
【請求項２】
さらに：
薬剤を含むバレル（３）；及び
バレル（３）内部で軸方向に可動なプランジャー（５）、
を含んでなる、請求項１に記載の薬剤送達デバイス（１）。
【請求項３】
層（９）が針（７）の遠位先端を覆っていない、請求項１又は２に記載の薬剤送達デバイス（１）。
【請求項４】
層（９）が針（７）の全露出面を覆う、請求項１〜３のいずれか一項に記載の薬剤送達デバイス（１）。
【請求項５】
組成物が、消毒剤、治癒を促進するための溶液、鎮痛剤、抗生物質、薬剤、マーカー、及び、抗菌剤の少なくとも１つを含む、請求項１〜４のいずれか一項に記載の薬剤送達デバイス（１）。
【請求項６】
層（９）が、注射部位と接触すると変形する、請求項１〜５のいずれか一項に記載の薬剤送達デバイス（１）。
【発明の詳細な説明】
【技術分野】
【０００１】
本発明は、眼内注射用器具などの薬剤送達デバイス、及び同上のための針に関わる。
【背景技術】
【０００２】
いくつかの、視力を脅かす眼の障害又は疾患は、薬剤送達デバイスを使用して、眼内送達（より具体的には、硝子体内送達）によって、眼の後眼部への薬剤（医薬品、生物学的製剤など）、及び／又は、埋め込み型デバイスを送達することを必要とする。眼内送達のための１つのかかる技術が、硝子体内部への眼内注射によって達成される。
【０００３】
薬剤送達デバイス（例えば、シリンジ）が、眼の障害又は疾患を有する哺乳類の眼などの眼に、治療物質を投与するために使用され得る。デバイスは、薬剤送達のため眼に貫入する、遠位端での針の配置を含み得る。
【０００４】
ある種の眼の疾患及び障害を患う患者に提供される治療プログラムは、しばしば、長期間（多分、何カ月間又は実に一生でさえも）にわたって、一定間隔で眼の内部への薬剤の送達を含む。それゆえ、自動的に作動する薬剤送達デバイスの提供が望まれる。かかるデバイスは、時間、コスト、用量精度、患者の安全、及び、関係するヘルスケア提供者のための事前に必要な技能レベルの観点から、利益をもたらすであろう。
【０００５】
眼に侵襲的治療法を実行する、例えば、硝子体に薬剤を投与するとき、周囲を洗い、適切に清浄にし、及び、消毒することは必須である。現行方法は、生理食塩水で洗浄し、次にヨード液で消毒することである。これは、多数のステップを要し、人為的エラーを起こしやすい。従って、改善の必要性がある。
【発明の概要】
【発明が解決しようとする課題】
【０００６】
少なくとも、穿刺する部位を自動的に清浄し、消毒し、及び／又は、殺菌することが出来る、薬剤送達デバイス、又は、針を提供することが本発明の目的である。
【課題を解決するための手段】
【０００７】
例示的な実施態様において、本発明に記載の薬剤送達デバイスは、針、及び、少なくとも針の一部に連結された組成物の層を含む。組成物は、低い粘度と低い表面張力を有する。送達デバイスはさらに、薬剤を含むバレル；及びバレル内部で軸方向に可動なプランジャーを含む。
【０００８】
例示的な実施態様において、層は針の遠位先端を覆わない。
【０００９】
例示的な実施態様において、層は針の全露出面を覆う。
【００１０】
例示的な実施態様において、組成物は、消毒剤、治癒を促進するための溶液、鎮痛剤、薬剤、マーカー及び抗菌剤の少なくとも１つを含む。
【００１１】
例示的な実施態様において、層は、注射部位と接触すると変形する。
【００１２】
上述の利点、並びに、本発明の種々の態様の他の利点は、添付図面を適切に参照しつつ、以下の詳細説明を読むことにより、当業者には明白になるであろう。
【００１３】
本発明の例示的な実施態様が、次の概略図面を参照して、本明細書に記述される：
【図面の簡単な説明】
【００１４】
【図１】眼を穿刺するより前の、本発明に記載の薬剤送達デバイスの例示的な実施態様の断面の透視図を図示する。
【図２】本発明に記載の薬剤送達デバイスの例示的な実施態様の拡大断面図を示す。
【図３】図３は、眼を穿刺した後の、断面透視図において、本発明に記載の薬剤送達デバイスの例示的な実施態様を描く。
【図４】本発明に記載の薬剤送達デバイスの例示的な実施態様の透視図を示す。
【図５】本発明に記載の薬剤送達デバイスの例示的な実施態様の拡大透視図を描く。
【発明を実施するための形態】
【００１５】
図１〜５は、薬剤送達デバイス１の例示的な実施態様を示す。例示的な実施態様において、送達デバイス１は、単独で、又は、自動注射デバイスと共に使用し得るシリンジであってよい。送達デバイス１は、略円筒状のバレル３を有して示される。バレル３は、治療又は診断されようとする身体部分、例えば、眼２の内部に、投与されようとする薬剤等を含む。かかる薬剤の例は、黄斑変性の治療に使用されるステロイド、又は、モノクローナル抗体である。当業者は、送達デバイス１を使用して、種々の薬剤、及び／又は、治療物質、及び／又は、埋め込み型デバイスを投与可能し得ることを理解するであろう。
【００１６】
プランジャー５が、バレル３内に配設され（disposed）、針７が、バレル３の遠位端に連結される。遠位に向いた圧力がプランジャー５にかけられる時、プランジャー５は、バレル３内で、軸方向（遠位方向）に動き、針７を通って薬剤を排出する。
【００１７】
例示的な実施態様において、送達デバイス１は、器具を作動させる時、シリンジの内容物の全てを送達する自動注射器であってよい。別の例示的な実施態様において、器具は、注射ごとにバレル３の内容物の一部のみを投与するための、再使用可能な、固定用量送達デバイスであってよい。当業者は、別の例示的な実施態様において、送達デバイス１は、針を有する、又は、取り外し可能なニードルアセンブリと係合するためのインタフェースを有する、薬剤カートリッジによって交換し得ることを理解するであろう。
【００１８】
例示的な実施態様において、半固体の組成物の層９が、針７の外表面の少なくとも一部上に形成される。例示的な実施態様において、組成物は、注射部位を洗浄、消毒、又は、殺菌する目的のためであってよい。例えば、組成物は、消毒剤、抗菌剤、治癒を促進するための溶液などであってよい。例えば、組成物は、注射より前に、眼１１上の注射部位をすすぎ、洗浄するための、洗浄剤、又は、殺菌剤であってよい。さらに、又は、代わりに、組成物は、色素又は顆粒性色素沈着（granular pigmentation）を含むマーカー液であってよい。さらになお、組成物は、眼の上の流体１３の存在及び位置を見つけることが出来るように、着色されてよい。
【００１９】
例示的な実施態様において、層９を形成する組成物は低い表面張力を有する、低粘度ゲルであるが、その稠度（consistency）、及び、使用前の針７への粘着性を維持する。例示的な実施態様において、送達デバイス１は、層９の完全性（integrity）を維持するため、使用前に冷蔵でしまっておかれてよい。
【００２０】
例示的な実施態様において、層９は、中空円筒の形状を有し、そして針７の側部表面の少なくとも一部を覆う。当業者は、他の層形状も可能である（例えば、軸方向縞模様、環、らせん、円錐、数珠など）ことを理解する。その上、種々の厚さの層９が可能である。
【００２１】
図１及び２に描かれた例示的な実施態様において、層９は、針７の全長を覆はない。例えば、針７の遠位先端は、層９で覆われなくてもよい。それ故に、この例示的な実施態様において、層９は、針７が身体部分を穿刺した後、治療された身体部分、例えば、眼２と接触するようになる。
【００２２】
別の例示的な実施態様において、層９は、針７の遠位先端を越えて伸びてよく、針７の挿入より前に、例えば、眼２に導入されてよい。
【００２３】
図３〜５は、所定の位置、例えば、眼２の縁部位で、針７が眼２を穿刺した状況を示す。
【００２４】
ここで、針７は眼２に貫入し、そしてそれが眼内で予め規定された深さに達するまで、眼２の内部に進む。例示的な実施態様において、層９が、眼２の表面に達したときに、層９の表面張力が破られ、層９の完全性が損なわれ（compromised）、針７によって穿刺された場所を囲む眼２の表面上への組成物の流れを引き起こし、スポット（spot）１１を形成する。これによって、組成物は注射部位に向けられ（targeted）そして直接塗布され、組成物は、眼２の表面を清浄、殺菌及び／又は消毒することが出来る。その上、組成物は、さらなる治療効果のため、眼２の中に吸収されてよい。
【００２５】
別の例示的な実施態様において、針７を、ペン型注射器と一緒に使用されるような、安全なニードルアセンブリと一緒に使用し得る。
【００２６】
当業者は、本明細書に記述された器具、方法及び／又はシステム及び実施態様の種々の部材の変更（追加及び／又は除去）は、本発明の全範囲と精神を逸脱することなしに行ってよい、それはそのような変更とそれらのいかなる、そして全ての等価物を包含する、ことを理解するであろう。
【図１】
2014528301.tif 000003
【図２】
2014528301.tif 000004
【図３】
2014528301.tif 000005
【図４】
2014528301.tif 000006
【図５】
2014528301.tif 000007
【国際調査報告】
2014528301.tif 000008
2014528301.tif 000009
2014528301.tif 000010